(57)【要約】【課題】放熱フィンによる放熱効率を向上させるとともに、軽量化を図ることができる照明器具を提供する。【解決手段】ＬＥＤ光源２４が発した熱は、ＬＥＤ光源２４の背面側に設けられたヒートシンク部３０により放熱される。ヒートシンク部３０を構成する複数枚の放熱フィン３１は、所定間隔で積層されており、各放熱フィン３１の間を流れる空気により冷却される。積層されている放熱フィン３１は、積層方向の中央部に配置される放熱フィン３１Ｂの高さ寸法ＨＡ２を小さく、積層方向の両端部に配置される放熱フィン３１Ａの高さ寸法ＨＡ１を大きくし、放熱フィン３１の面方向に沿って見たときに、放熱フィン３１の頂部３１１を結ぶ線が谷形状となるようにする。これにより、放熱フィン３１の間を空気が流れるので、放熱フィン３１による放熱効率を向上させるとともに、軽量化を図ることができる。【選択図】図１
2013114813.tif 000002
【特許請求の範囲】
【請求項１】
ＬＥＤ光源の裏面側に設けられた複数枚の放熱フィンを所定間隔で積層したヒートシンク部を有し、
積層方向の中央部において前記放熱フィンの高さ寸法が小さく、積層方向の両端部に向かうにつれて前記放熱フィンの高さ寸法が大きくなり、
前記放熱フィンの面方向に沿って見たときに、前記放熱フィンの頂部を結ぶ線が谷形状である照明器具。
【請求項２】
ＬＥＤ光源の裏面側に設けられた複数枚の放熱フィンを所定間隔で積層したヒートシンク部を有し、
前記放熱フィンが、幅方向中央において低く、外側に向かうにつれて高く形成され、
積層方向から見たときに、前記放熱フィンの頂部が谷形状である照明器具。
【発明の詳細な説明】
【技術分野】
【０００１】
本発明は、ＬＥＤ光源の背面側に、放熱用のヒートシンク部を有する照明器具に関するものである。
【背景技術】
【０００２】
従来より、ＬＥＤ光源の背面側に、放熱用のヒートシンク部を有する照明器具が知られている（例えば、特許文献１参照）。
図１０に示すように、特許文献１に記載の照明器具１００は、ハウジング１０１を備え、このハウジング１０１が天井、壁等のパネルへ固定される。ハウジング１０１の下端部には外方に突出した係合縁１０２が全周に亘って形成されており、取付孔の開口縁に係合縁１０２が係合した状態で取り付けられる。ハウジング１０１の後方（図１０において上方）には本体部１０３が回動可能に取り付けられており、本体部１０３は、ベース部１０４を有する。ベース部１０４は、上方に取り付けられたヒートシンク部１０５と、下端に取り付けられるレンズ部１０６を有する。
【０００３】
ヒートシンク部１０５は中心部に形成された圧入孔１０７を有し、圧入孔１０７の周囲に多数の放熱フィン１０５Ａを有する。
なお、ベース部１０４の円筒部１０８が下方からヒートシンク部１０５の圧入孔１０７に圧入され、これによって、ベース部１０４とヒートシンク部１０５とが結合される。
また、ベース部１０４の下面でレンズ部１０６の上方には、中心部にＬＥＤ１０９が実装された実装基板１１０が設けられている。
【０００４】
従って、ＬＥＤ１０９から発せられた光は、レンズ部１０６を通って、下方へ照射される。このときに発生した熱は、ベース部１０４の円筒部１０８からヒートシンク部１０５の圧入孔１０７に伝達されて、ヒートシンク部１０５の放熱フィン１０５Ａにより放熱される。
【先行技術文献】
【特許文献】
【０００５】
【特許文献１】特開２００７−１３４０６７号公報（第１図）
【発明の概要】
【発明が解決しようとする課題】
【０００６】
しかしながら、前述した特許文献１に記載の照明器具１００においては、放熱フィン１０５Ａの高さは，中央部が高くなっているため、自然空冷においては空気の対流が起きづらく、放熱効率が低下するとともに重量も大きくなるという問題があった。
また、放熱フィンの上側に電源装置を設ける場合には、一層空気の対流が悪くなって、電源装置に熱の影響が生じるという問題があった。
【０００７】
本発明は、従来の問題を解決するためになされたもので、放熱フィンによる放熱効率を向上させるとともに、軽量化を図ることができる照明器具を提供することを目的とする。
【課題を解決するための手段】
【０００８】
本発明の照明器具は、ＬＥＤ光源の裏面側に設けられた複数枚の放熱フィンを所定間隔で積層したヒートシンク部を有し、積層方向の中央部において前記放熱フィンの高さ寸法が小さく、積層方向の両端部に向かうにつれて前記放熱フィンの高さ寸法が大きくなり、前記放熱フィンの面方向に沿って見たときに、前記放熱フィンの頂部を結ぶ線が谷形状であるものである。
【０００９】
また、本発明の照明器具は、ＬＥＤ光源の裏面側に設けられた複数枚の放熱フィンを所定間隔で積層したヒートシンク部を有し、前記放熱フィンが、幅方向中央において低く、外側に向かうにつれて高く形成され、積層方向から見たときに、前記放熱フィンの頂部が谷形状であるものである。
【発明の効果】
【００１０】
本発明では、積層されている放熱フィンは、積層方向の中央部に配置される放熱フィンの高さ寸法を小さく、積層方向の両端部に配置される放熱フィンの高さ寸法を大きくし、放熱フィンの面方向に沿って見たときに、放熱フィンの頂部を結ぶ線が谷形状となるようにする。これにより、例えばヒートシンク部の上側に電源装置等を配置した場合でも、放熱フィンの間を空気が流れるので、放熱フィンによる放熱効率を向上させるとともに、軽量化を図ることができるという効果を有する照明器具を提供できる。
【図面の簡単な説明】
【００１１】
【図１】本発明に係る第１実施形態の照明器具の斜視図
【図２】（Ａ）はヒートシンク部における放熱フィンの形状を示す斜視図であり、（Ｂ）は（Ａ）中Ｂ方向から見た正面図
【図３】（Ａ）はヒートシンク部のカットを設けた効果を検証する実験の斜視図であり、（Ｂ）は谷形状の寸法等を示す説明図
【図４】本発明に係る第２実施形態の照明器具の斜視図
【図５】（Ａ）はヒートシンク部における放熱フィンの形状を示す斜視図であり、（Ｂ）は（Ａ）中Ｂ方向から見た正面図
【図６】（Ａ）はヒートシンク部のカットを設けた効果を検証する実験の斜視図であり、（Ｂ）は谷形状の寸法等を示す説明図
【図７】本発明に係る第３実施形態の照明器具の斜視図
【図８】（Ａ）はヒートシンク部における放熱フィンの形状を示す斜視図であり、（Ｂ）は（Ａ）中Ｂ方向から見た正面図
【図９】（Ａ）はヒートシンク部のカットを設けた効果を検証する実験の斜視図であり、（Ｂ）は谷形状の寸法等を示す説明図
【図１０】従来の照明器具の断面図
【発明を実施するための形態】
【００１２】
（第１実施形態）
以下、本発明に係る第１実施形態の照明器具について、図面を用いて説明する。
図１に示すように、本発明に係る第１実施形態の照明器具１０は、被取付部である天井１１に形成された取付孔（図示省略）に埋設して下方を照明するダウンライトとすることができる。
【００１３】
照明器具１０は、ＬＥＤ光源２４（図２（Ｂ）参照）を収容して所定方向へ照明光を照射する灯具２０を有する。灯具２０は、円柱形状の枠体２１に、回動可能に支持されており、照明方向の調整が可能となっている。枠体２１の下端（図１において下端）には、鍔部材２２が取り付けられ、枠体２１の側面には複数個（ここでは、例えば３個）の取付バネ２３が放射状に外側へ張り出して設けられている。
従って、灯具２０は、天井１１の下面に鍔部材２２を当接させ、取付バネ２３が天井１１の上面（天井裏）を下方へ押圧することにより、鍔部材２２と取付バネ２３とで天井１１を挟んで取り付けられる。
【００１４】
灯具２０は、ＬＥＤ光源２４が発する熱を放熱するヒートシンク部３０を有する。ヒートシンク部３０では、複数枚の薄板状の放熱フィン３１が、水平方向へ所定の間隔を保持しつつ積層されて一体的に設けられている。
放熱フィン３１の上には、天井裏に配線されている商用電源（図示省略）に接続されて、ＬＥＤ光源２４を点灯させる電力を供給する電源装置１２が取り付けられる。
【００１５】
図１および図２に示すように、複数枚の薄板状の放熱フィン３１が、水平方向へ積層されており、積層方向（図２（Ａ）中矢印Ａ方向）の中央部の放熱フィン３１Ｂの高さ寸法が小さく、両端部に向かうにつれて放熱フィン３１Ａの高さ寸法が大きくなる。
これにより、図２（Ｂ）に示すように、ヒートシンク部３０を正面から（すなわち、放熱フィン３１の面方向に沿った方向から）見ると、放熱フィン３１の頂部３１１を結ぶ線３１２が、中央が凹んだ谷形状となっている。
【００１６】
図３（Ａ）には、ヒートシンク部３０の放熱フィン３１を谷型に形成した効果を示す実験装置が示されている。ここでは、ヒートシンク部３０の上方に電源装置１２を配置して、電源装置１２における温度を測定する。
また、図３（Ｂ）に示すように、このときの放熱フィン３１の寸法を規定する。ヒートシンク部３０の全幅をＷＡ、外側の放熱フィン３１Ａの高さをＨＡ１、内側の放熱フィン３１Ｂの高さをＨＡ２とする。また、奥行きをＤＡ（図３（Ａ）参照）とする。
【００１７】
以上、説明した本発明に係る第１実施形態の照明器具１０によれば、ＬＥＤ光源２４が発した熱は、ＬＥＤ光源２４の背面側に設けられたヒートシンク部３０により放熱される。
ヒートシンク部３０を構成する複数枚の放熱フィン３１は、所定間隔で積層されており、各放熱フィン３１の間を流れる空気により冷却される。
【００１８】
積層されている放熱フィン３１は、積層方向の中央部に配置される放熱フィン３１Ｂの高さ寸法を小さく、積層方向の両端部に配置される放熱フィン３１Ａの高さ寸法を大きくする。そして、放熱フィン３１の面方向に沿って見たときに、放熱フィン３１の頂部３１１を結ぶ線が谷形状となるようにする。
これにより、例えばヒートシンク部３０の上側に電源装置１２等を配置した場合でも、放熱フィン３１の間を空気が流れるので、放熱フィン３１による放熱効率を向上させるとともに、照明器具１０の軽量化を図ることができる。
【００１９】
（第２実施形態）
次に、本発明に係る第２実施形態の照明器具について説明する。
なお、前述した第１実施形態に係る照明器具１０と共通する部位には同じ符号を付して、重複する説明を省略することとする。
【００２０】
図４および図５に示すように、第２実施形態の照明器具１０Ｂでは、ヒートシンク部３０Ｂにおいて複数枚の薄板状の放熱フィン３２が、水平方向へ所定間隔をおいて積層されている。
各放熱フィン３２は、幅方向（図５（Ａ）中矢印Ａ方向）中央において低く、外側に向かうにつれて高く形成されている。なお、全ての放熱フィン３２は同形状とすることができる。
これにより、図５（Ｂ）に示すように、ヒートシンク部３０Ｂを正面から（すなわち、積層方向から）見ると、放熱フィン３２の頂部３２１は、中央が凹んだ谷形状となっている。
【００２１】
図６（Ａ）には、ヒートシンク部３０Ｂの放熱フィン３２を谷型に形成した効果を示す実験装置が示されている。ここでは、ヒートシンク部３０Ｂの上方に電源装置１２を配置して、電源装置１２における温度を測定する。
また、図６（Ｂ）に示すように、このときの放熱フィン３２の寸法を規定する。ヒートシンク部３０Ｂの全幅をＷＢ、放熱フィン３２の外側端部における高さをＨＢ１、中央における放熱フィン３２の高さをＨＢ２とする。また、奥行きをＤＢ（図６（Ａ）参照）とする。
【００２２】
以上、説明した本発明に係る第２実施形態の照明器具１０Ｂによれば、ＬＥＤ光源２４が発した熱は、ＬＥＤ光源２４の背面側に設けられたヒートシンク部３０Ｂにより放熱される。
ヒートシンク部３０Ｂを構成する複数枚の放熱フィン３２は、所定間隔で積層されており、各放熱フィン３２の間を流れる空気により冷却される。
【００２３】
積層されている放熱フィン３２では、各放熱フィン３２を、幅方向中央において低く、外側に向かうにつれて高くなるように形成する。
これにより、例えばヒートシンク部３０Ｂの上側に電源装置１２等を配置した場合でも、放熱フィン３２の間を空気が流れるので、放熱フィン３２による放熱効率を向上させるとともに、軽量化を図ることができる。
【００２４】
（第３実施形態）
次に、本発明に係る第３実施形態の照明器具について説明する。
なお、前述した第１実施形態の照明器具１０および第２実施形態の照明器具１０Ｂと共通する部位には同じ符号を付して、重複する説明を省略することとする。
【００２５】
図７および図８に示すように、第３実施形態の照明器具１０Ｃでは、ヒートシンク部３０Ｃにおいて複数枚の薄板状の放熱フィン３３が、水平方向へ積層されている。
各放熱フィン３３は、積層方向（図８（Ａ）中矢印Ａ方向）の中央部の放熱フィン３３Ｂの高さ寸法が小さく、積層方向の両端部に向かうにつれて、放熱フィン３３Ａの高さ寸法が大きくなる。
さらに、放熱フィン３３は、幅方向（図８（Ａ）中矢印Ｃ方向）中央において低く、外側に向かうにつれて高く形成されている。
これにより、図８（Ｂ）に示すように、ヒートシンク部３０Ｃを正面から見ると、放熱フィン３３の頂部３３１を結ぶ線３３２は、中央が凹んだ谷形状となっている。
また、側面から見ても、中央が凹んだ谷形状となっている。
【００２６】
図９（Ａ）には、ヒートシンク部３０Ｃの放熱フィン３３を、前述したような谷型に形成した効果を示す実験装置が示されている。ここでは、ヒートシンク部３０Ｃの上方に電源装置１２を配置して、電源装置１２における温度を測定する。
また、図９（Ｂ）に示すように、このときの放熱フィン３３の寸法を規定する。ヒートシンク部３０Ｃの全幅をＷＣ、放熱フィン３３の外側端部における高さをＨＣ１、中央における放熱フィン３３の高さをＨＣ２とする。また、奥行きをＤＣ（図９（Ａ）参照）とする。
さらに、側面から見た際の、放熱フィン３３の中央における高さをＨＣ３とする（図９（Ｂ）において括弧書きで表示）。
【００２７】
以上、説明した本発明に係る第３実施形態の照明器具１０Ｃによれば、ＬＥＤ光源２４が発した熱は、ＬＥＤ光源２４の背面側に設けられたヒートシンク部３０Ｃにより放熱される。
このとき、ヒートシンク部３０Ｃを構成する複数枚の放熱フィン３３は、所定間隔で積層されており、各放熱フィン３３の間を流れる空気により冷却される。
【００２８】
ヒートシンク部３０Ｃは、積層方向から見ても、放熱フィン３３の面方向に沿った方向から見ても、谷型となるように形成する。
これにより、例えばヒートシンク部３０Ｃの上側に電源装置１２等を配置した場合でも、放熱フィン３３の間を空気が流れるので、放熱フィン３３による放熱効率を向上させるとともに、軽量化を図ることができる。
【００２９】
なお、本発明の照明器具は、前述した各実施形態に限定されるものでなく、適宜な変形、改良等が可能である。
【符号の説明】
【００３０】
１０、１０Ｂ、１０Ｃ  照明器具
２４  ＬＥＤ光源
３０、３０Ｂ、３０Ｃ  ヒートシンク部
３１、３２、３３  放熱フィン
３１１、３２１、３３１  頂部
【図１】
2013114813.tif 000003
【図２】
2013114813.tif 000004
【図３】
2013114813.tif 000005
【図４】
2013114813.tif 000006
【図５】
2013114813.tif 000007
【図６】
2013114813.tif 000008
【図７】
2013114813.tif 000009
【図８】
2013114813.tif 000010
【図９】
2013114813.tif 000011
【図１０】
2013114813.tif 000012